(57)【要約】  オーディオデータの選択的再生が可能なデータ再生装置及びその方法が開示される。本発明に係るデータ再生装置及び方法はデータ再生中にユーザが区間選択を入力すれば、選択された区間のオーディオデータを保存して、その後、ユーザの要請に応じて選択された区間のオーディオデータのみを選択的に再生することを特徴とする。
2007520835.tif 000002
【特許請求の範囲】
【請求項１】
光記録媒体から再生データを読み込んで再生する光再生装置であって、
ピックアップ、信号処理機、及びオーディオ／ビデオデコーダーを含み、前記光記録媒体に記録された前記再生データを信号処理して再生する再生処理部と、
再生中ユーザからオーディオデータの区間選択を入力されるインタフェース部と、
前記オーディオデータの選択された区間であるオーディオ個体のアドレス情報を保存する保存部と、
前記インタフェース部から前記区間選択が入力されれば、前記選択された区間各々に対するアドレス情報を検出して前記保存部に保存し、前記オーディオ個体に対してユーザの選択及び再生要請が前記インタフェース部を介して入力されれば、保存されたアドレス情報に基づいて前記アドレス情報に該当するオーディオ個体を前記光記録媒体から読み出した後、前記再生処理部により再生するよう処理する制御部と、を含んでなる光再生装置。
【請求項２】
前記アドレス情報は、前記オーディオ個体のスタートアドレス及びエンドアドレスであることを特徴とする請求項１に記載の光再生装置。
【請求項３】
前記アドレス情報は、前記オーディオ個体のスタートアドレス及び再生時間であることを特徴とする請求項１に記載の光再生装置。
【請求項４】
前記インタフェースを介して区間スタート信号が入力されれば、前記制御部は前記再生処理部から出力されているオーディオデータの現在アドレスを検出し、前記現在アドレスより所定の範囲以前のアドレスを前記スタートアドレスとして設定し保存処理することを特徴とする請求項２または３に記載の光再生装置。
【請求項５】
前記スタートアドレス及び前記エンドアドレスは前記再生処理部から出力されているオーディオデータのＰＴＳを検出して算出されることを特徴とする請求項４に記載の光再生装置。
【請求項６】
前記制御部はユーザの要請に応じて前記オーディオ個体に関する情報を表すリストをディスプレーし、前記インタフェースを介して入力されるユーザの命令に応じて前記オーディオ個体に対する編集機能を提供することを特徴とする請求項１に記載の光再生装置。
【請求項７】
光記録媒体からデータを読み込んで再生する光再生装置であって、
ピックアップ、信号処理機及びオーディオ／ビデオデコーダーを含み、光記録媒体に記録されたデータを信号処理して再生する再生処理部と、
再生中ユーザからオーディオデータの区間選択を入力されるインタフェース部と、
前記選択された区間のオーディオデータであるオーディオ個体を保存する保存部と、
前記インタフェース部から区間選択が入力されれば、前記オーディオ個体を前記保存部に保存し、前記オーディオ個体に対してユーザの選択及び再生要請が前記インタフェース部を介して入力されれば、前記保存部から選択された前記オーディオ個体を読み出した後、前記再生処理部により再生するよう処理する制御部と、を含んでなる光再生装置。
【請求項８】
前記再生処理部から一番最近に出力された所定分量のオーディオデータを臨時保存するバッファをさらに含み、
前記インタフェースから区間スタート信号が入力されれば、前記制御部は前記バッファに保存されたオーディオデータも前記保存部に保存されるよう処理することを特徴とする請求項７に記載の光再生装置。
【請求項９】
前記制御部はユーザの要請に応じて前記オーディオ個体に関する情報を表すリストをディスプレーし、前記インタフェースを介して入力されるユーザの命令に応じて前記オーディオ個体に対する編集機能を提供することを特徴とする請求項７に記載の光再生装置。
【請求項１０】
前記編集機能は再生するオーディオ個体の選択／取消し、再生順序指定、及び削除機能を含むことを特徴とする請求項９に記載の光再生装置。
【請求項１１】
前記リストは前記各々のオーディオ個体に対するタイトルを含み、前記制御部は前記インタフェースを介してユーザから前記タイトルを入力され前記保存部に保存することを特徴とする請求項９に記載の光再生装置。
【請求項１２】
前記タイトルは区間の選択時に入力されたり、ユーザの設定に応じて区間の選択時に自動付与された後編集できることを特徴とする請求項１１に記載の光再生装置。
【請求項１３】
前記制御部は１つの光記録媒体に対して１つの前記リストを生成し、前記インタフェースを介してユーザからのリストタイトルを入力／保存し、ユーザの要請に応じて前記リストの目録をディスプレーすることを特徴とする請求項１１に記載の光再生装置。
【請求項１４】
前記保存部は半導体メモリまたはＨＤＤであることを特徴とする請求項７に記載の光再生装置。
【請求項１５】
前記光再生装置は外部メモリと接続するためのポートをさらに備え、前記制御部はユーザの要請に応じて前記リストを前記ポートを介して入出力することを特徴とする請求項９に記載の光再生装置。
【請求項１６】
光記録媒体から再生データを読み込んで再生し、前記光記録媒体に記録対象データを記録して保存する光記録／再生装置であって、
ピックアップ、信号処理機、オーディオ／ビデオエンコーダー及びデコーダーを含み、前記光記録媒体に記録された再生データを信号処理して再生し、前記記録対象データを前記光記録媒体に記録する記録／再生処理部と、
再生中ユーザからオーディオデータの区間選択を入力されるインタフェース部と、
前記選択された区間のオーディオデータであるオーディオ個体を保存する保存部と、
前記インタフェース部から区間選択が入力されれば、前記オーディオ個体を前記保存部に保存し、前記インタフェース部を介して入力されるユーザの要請信号に応じて、前記保存部に保存された前記オーディオ個体を再生または光記録媒体に記録するよう前記記録／再生処理部を制御する制御部と、を含んでなる光記録／再生装置。
【請求項１７】
前記記録／再生処理部から一番最近に再生されたオーディオデータを臨時保存するバッファをさらに備え、
前記制御部は、前記インタフェース部から区間スタート信号が入力されれば、前記バッファに臨時保存されたオーディオデータを含めて前記保存部に保存することを特徴とする請求項１６に記載の光記録／再生装置。
【請求項１８】
前記制御部はユーザの要請に応じて前記保存部に保存されたオーディオ個体に関する情報を表すリストをディスプレーし、前記インタフェースを介して入力されるユーザの命令に応じて前記オーディオ個体に対する編集機能を提供することを特徴とする請求項１７に記載の光記録／再生装置。
【請求項１９】
前記編集機能は記録／再生するオーディオ個体の選択／取消し、記録／再生順序指定、及び削除機能を含むことを特徴とする請求項１８に記載の光記録／再生装置。
【請求項２０】
前記リストは前記各々のオーディオ個体に対するタイトルを含み、前記制御部は前記インタフェースを介してユーザから前記タイトルを入力され、前記オーディオ個体と共に前記保存部に保存することを特徴とする請求項１８に記載の光記録／再生装置。
【請求項２１】
前記タイトルは区間の選択時に入力されたり、ユーザの設定に応じて区間の選択時に自動付与された後編集できることを特徴とする請求項２０に記載の光記録／再生装置。
【請求項２２】
前記保存部は半導体メモリまたはＨＤＤのうちいずれかであることを特徴とする請求項１６に記載の光記録／再生装置。
【請求項２３】
前記光記録／再生装置は外部メモリと接続するためのポートをさらに備え、
前記制御部はユーザの要請に応じて前記保存部に保存されたオーディオ個体を選択的に前記ポートを介して入出力することを特徴とする請求項１６に記載の光記録／再生装置。
【請求項２４】
光記録媒体に記録されたオーディオデータの任意の区間を選択的に再生する方法であって、
光記録媒体からデータを読み出して所定の処理を行った後出力する段階と、
インタフェース部を介してオーディオデータの区間選択が入力されれば、前記選択された区間のオーディオデータであるオーディオ個体のアドレス情報を保存する段階と、
ユーザによる選択及び再生命令が入力されれば、選択された前記オーディオ個体のアドレス情報に基づいて該当するオーディオデータを前記光記憶媒体から読み出して再生する段階と、を含むオーディオデータの選択的再生方法。
【請求項２５】
前記アドレス情報は、前記オーディオデータの選択区間のスタートアドレス及びエンドアドレス、またはスタートアドレス及び再生時間であることを特徴とする請求項２４に記載のオーディオデータの選択的再生方法。
【請求項２６】
前記アドレス情報を保存する段階は、前記インタフェースを介して区間スタート信号が入力されれば、出力されているオーディオデータの現在アドレスを検出し、前記現在アドレスより所定の範囲以前のアドレスをスタートアドレスとして保存し、前記インタフェースを介して区間エンド信号が入力されれば、出力されているオーディオデータの現在アドレスまたは前記スタートアドレスからの再生時間を保存する段階であることを特徴とする請求項２５に記載のオーディオデータの選択的再生方法。
【請求項２７】
前記スタートアドレス及びエンドアドレスは出力されているオーディオデータのＰＴＳを検出して算出されることを特徴とする請求項２６に記載のオーディオデータの選択的再生方法。
【請求項２８】
前記オーディオデータの選択的再生方法は、ユーザの要請に応じて前記オーディオ個体を表すリストをディスプレーし、前記インタフェースを介して入力されるユーザの命令に応じて前記オーディオ個体を編集する段階をさらに含むことを特徴とする請求項２４に記載のオーディオデータの選択的再生方法。
【請求項２９】
前記編集する段階は、ユーザの命令に応じて前記リストから再生するオーディオ個体の選択／取消し、再生順序指定、及び削除する段階であることを特徴とする請求項２８に記載のオーディオデータの選択的再生方法。
【請求項３０】
前記保存する段階は、前記オーディオデータに対する区間選択が完了されれば、ユーザから前記オーディオ個体に対するタイトルを入力され、そのアドレス情報と共に保存する段階であることを特徴とする請求項２８に記載のオーディオデータの選択的再生方法。
【請求項３１】
前記タイトルはユーザの設定に応じて区間選択する毎に順次自動付与されることを特徴とする請求項３０に記載のオーディオデータの選択的再生方法。
【請求項３２】
少なくともオーディオデータを含むマルチメディアデータを受信／再生するデータ再生装置であって、
伝送されたマルチメディアデータを所定の処理を行って再生する再生処理部と、
ユーザからオーディオデータの区間選択を入力されるインタフェース部と、
前記選択された区間のオーディオデータのアドレス情報を保存する保存部と、
前記インタフェース部から区間選択が入力されれば、前記選択された区間のオーディオデータであるオーディオ個体のアドレス情報を検出し前記保存部に保存し、ユーザの選択及び再生要請に応じて、前記アドレス情報に基づいて前記再生処理部により前記マルチメディアデータから該当するオーディオデータのみを読み出して再生させる制御部と、を含んでなるデータ再生装置。
【請求項３３】
前記アドレス情報は、前記オーディオデータの選択区間のスタートアドレス及びエンドアドレス、またはスタートアドレス及び再生時間であることを特徴とする請求項３２に記載のデータ再生装置。
【請求項３４】
前記インタフェースを介して区間スタート信号が入力されれば、前記制御部は前記再生処理部から出力されているオーディオデータの現在アドレスを検出し、前記現在アドレスより所定の範囲以前のアドレスをスタートアドレスとして保存することを特徴とする請求項３３に記載のデータ再生装置。
【請求項３５】
前記制御部はユーザの要請に応じて前記保存部に保存されたオーディオ個体を編集することを特徴とする請求項３２に記載のデータ再生装置。
【請求項３６】
少なくともオーディオデータを含むマルチメディアデータを受信／再生するデータ再生装置であって、
転送されたマルチメディアデータを所定の処理を行って再生する再生処理部と、
ユーザからオーディオデータの区間選択を入力されるインタフェース部と、
前記選択された区間のオーディオデータであるオーディオ個体を保存する保存部と、
前記インタフェース部から区間選択が入力されれば、前記オーディオ個体を前記保存部に保存し、ユーザの選択及び再生要請に応じて、前記オーディオ個体を前記再生処理部により再生させる制御部と、を含んでなるデータ再生装置。
【請求項３７】
前記再生処理部から一番最近に出力されるオーディオデータを臨時保存するバッファをさらに備え、
前記制御部は、前記インタフェースから区間スタート信号が入力されれば、前記バッファに保存された前記オーディオデータを含めて保存することを特徴とする請求項３６に記載のデータ再生装置。
【請求項３８】
前記制御部はユーザの要請に応じて前記保存部に保存されたオーディオ個体を編集することを特徴とする請求項３６に記載のデータ再生装置。
【請求項３９】
前記編集は再生するオーディオ個体の選択／取消し、再生順序指定、及び削除機能を含むことを特徴とする請求項３８に記載のデータ再生装置。
【請求項４０】
前記リストは前記各々のオーディオ個体に対するタイトルを含み、前記制御部は前記インタフェースを介してユーザから前記各々のオーディオ個体に対するタイトルを入力され、前記保存部に保存することを特徴とする請求項３８に記載のデータ再生装置。
【請求項４１】
前記タイトルはユーザの設定に応じて区間選択する毎に順次自動付与されることを特徴とする請求項３９に記載のデータ再生装置。
【請求項４２】
前記制御部は光記憶媒体別に前記リストを生成し、前記インタフェースを介してユーザからのリストタイトルを入力／保存し、ユーザの要請に応じて前記リストの目録をディスプレーすることを特徴とする請求項３９に記載のデータ再生装置。
【請求項４３】
前記保存部は半導体メモリまたはＨＤＤであることを特徴とする請求項３８に記載のデータ再生装置。
【発明の詳細な説明】
【技術分野】
【０００１】
本発明は、オーディオデータを含むマルチメディアデータを再生する際、オーディオデータの特定区間をユーザが選択し、選択された区間のオーディオデータのみを選択的に再生できるよう考案された装置及びその方法に係り、特に、ユーザが映画ＣＤまたはＤＶＤの再生中に背景音楽が出力される区間を選択し保存すれば、その後、保存した情報に基づいて背景音楽のみを選択的に再生／聴取可能な機能を提供する光再生装置及びその方法に関する。
【背景技術】
【０００２】
最近、デジタル放送技術が急速度に発展するに伴って、高画質・高音質の映像を提供する光記憶媒体の需要及び普及が拡散されている。光記憶媒体の代表的な例であるＤＶＤ（デジタルビデオディスク）はＭＰＥＧ−２圧縮フォーマットを利用した高画質の映像とドルビーデジタルまたはＤＴＳ（デジタルシアターシステム）などの圧縮フォーマットを利用した高画質の音響を提供する。このようなＤＶＤの特性によりＤＶＤは映画のような高品質の映像及び音響を提供する目的で普及されており、生活の質の向上に伴ってＤＶＤによる映画鑑賞の需要も増加しつつある。
【０００３】
一方、ＤＶＤに記録された映画をＤＶＤＰで視聴する場合、ユーザは映画内に挿入された高音質のＯＳＴ（オリジナルサウンドトラック）のみの聴取を所望する時がある。このとき、従来にはＤＶＤＰのサーチ機能を利用してユーザが所望のＯＳＴをサーチして聴取する方法しかない。
【０００４】
このような不便さは、映画ＤＶＤのＯＳＴを鑑賞する時のみならず、例えば、語学教育コンテンツが保存されたＤＶＤで特定のオーディオデータのみを繰り返し聴取する時にも生じる。また、このような問題は光記憶媒体を再生する時のみならず、記憶媒体に保存されたマルチメディアデータを再生したり、外部からマルチメディアデータを受信し再生する時にも生じる。
【発明の開示】
【発明が解決しようとする課題】
【０００５】
本発明の目的は、少なくともオーディオデータを含むマルチメディアデータの再生中に、ユーザが特定区間を選択すればその区間に該当するオーディオデータのみを便利に再生できる装置及び方法を提供することにある。
【課題を解決するための手段】
【０００６】
前記のような技術的課題を解決するため、本発明に係るデータ再生装置及び方法はデータ再生中にユーザが区間選択を入力すれば、選択された区間のオーディオデータを保存して、その後、ユーザの要請に応じて選択された区間のオーディオデータのみを選択的に再生することを特徴とする。
【０００７】
このため、選択された区間のオーディオデータ（以下、オーディオ個体と称する）をそのまま保存でき、記憶媒体に記録されたデータを再生する場合はその記憶媒体からオーディオ個体のアドレス情報のみを確認して保存することもできる。
【０００８】
ここで、オーディオ個体とは、ユーザが特定区間を選択した場合、その選択された区間に該当するオーディオデータを意味する。すなわち、オーディオ個体は原本データに含まれたオーディオデータの一部分であるが、本発明によってユーザが選択した区間のオーディオデータとして、以後選択した区間のオーディオデータのみを選択的に再生する際に再生の単位になり、且つ編集の単位になる。オーディオ個体はユーザの区間選択に応じて多数存在する。また、オーディオ個体は区間選択されたオーディオデータそのものであるが、区間選択時そのアドレス情報のみを保存する場合はそのアドレス情報として定義される。
【０００９】
オーディオ個体のアドレス情報はオーディオデータの選択された区間のスタートアドレス及びエンドアドレス、あるいはスタートアドレス及び再生時間として表示できる。
【００１０】
ユーザが再生中に選択的再生を所望する部分を聴取した瞬間に区間スタート要請を入力しても、実際、ユーザが所望するスタート時点と区間スタート信号の入力時点との差が生じることは頻繁である。したがって、本発明は区間スタート信号が入力されれば、その時点に出力中のオーディオデータの現在アドレスより一定範囲以前にシフトした以前アドレスをスタートアドレスとして保存することを特徴とする。スタートアドレス及びエンドアドレスは記憶媒体の物理的アドレスでもあるし、オーディオデータのストリーム上の位置を表す識別コードでもある。光記憶媒体の場合はオーディオデータのＰＴＳ（プレゼンテーションタイムスタンプ）を利用してスタートアドレス及びエンドアドレス、あるいはスタートアドレス及び再生時間を決定することが好ましい。
【００１１】
選択された区間のオーディオデータをそのまま保存した場合も同じ問題が生じる。したがって、この場合、一番最近に出力されたオーディオデータの一定量を臨時保存するバッファを備えることで、区間スタート信号が入力されればその入力時点でバッファに保存されたオーディオデータも含めて保存し始める。
【００１２】
また、本発明に係るデータ再生装置及び方法はオーディオ個体に対する編集機能を提供することを特徴とする。このため、各々のオーディオ個体に対する属性情報を保存する。例えば、属性情報として各オーディオ個体に対するタイトルが挙げられる。タイトルはユーザが区間選択をする度に各々のオーディオ個体に対してユーザから入力されたり、ユーザの設定に応じて各々のオーディオ個体に対して順次自動付与される。
【００１３】
タイトルを含んだ属性情報が各オーディオ個体に付与されれば、これをリスト化してディスプレーし、ユーザはリストに含まれたオーディオ個体全体あるいは一部を選択して再生／取消しすることができ、ひいては、再生順番指定及び削除も可能である。
【００１４】
区間選択、タイトル入力及び編集はインタフェースを介して入力されるユーザの要請に応じて行われるが、一般に、インタフェースはリモコンであり、ＧＵＩを利用すればより便利にユーザが使用することができる。
【００１５】
本発明の他の側面から見れば、区間選択により保存されたオーディオ個体を外部メモリまたは他の記憶媒体に記録できる。
【００１６】
データ再生装置の場合は外部メモリを連結できるポートを備えることで、ユーザの要請に応じて保存されたオーディオ個体を転送し保存することができ、光記録／再生装置の場合は光記録媒体に記録し保存することができる。
【００１７】
本発明は、光再生装置及び光記録／再生装置に適用すれば効果的であるが、必ずしもこれに限定されず、光記憶媒体以外の記憶媒体に保存されたデータを再生するための装置や、外部からデータを受信し再生する装置にも適用可能である。
【発明を実施するための最良の形態】
【００１８】
以下、添付した図面に基づいて本発明の好適な実施形態を詳説する。
（実施形態）
図１は本発明の好適な第１実施形態による光再生装置を概略的に示すブロック図である。
【００１９】
同図に示すように、本発明に係る光再生装置１００は光ディスクドライブ１０５、信号処理部１１０、再生処理部１２０、出力端子１２５、ＨＤＤ１３０、ユーザインタフェース部１３５、属性情報保存部１４０、リスト生成部１４５、グラフィックエンジン１５０、通信インタフェース部１６０、スロット１６５、メインメモリ部１７０、及び制御部１８０を含む。
【００２０】
まず、同図は光再生装置１００の中でオーディオデータの選択的再生と関連するブロックのみを図示し、その他のブロックの図示は省略する。光再生装置１００は光記録媒体にデータを記録及び記録されたデータを再生できる装置であって、ＤＶＤＲ、焼くこと（ｂｕｒｎｉｎｇ）ができるＰＣなどがある。また、光記録媒体の例として、ＤＶＤ、ＤＶＤ±ＲＷ、ＤＶＤ−ＲＡＭ、ＤＶＤ−ＲＯＭなどがある。本発明において、光再生装置１００としてＨＤＤの搭載されたＤＶＤＰを実施例にとり、光記録媒体として読込み／書込み可能なＤＶＤ−ＲＷを実施例にとりながら説明する。
【００２１】
光ディスクドライブ１０５は光記録媒体１００ａに記録された動画データを備えられたピックアップ（図示せず）を利用して読み出す。ピックアップ（図示せず）は光記録媒体１００ａから読み出した動画データをＲＦ信号に変換する。信号処理部１１０はＲＦ信号を増幅して電気的信号に変換した後、変換された電気的信号をデジタル処理する。
【００２２】
再生処理部１２０は光記録媒体１００ａまたは後述するＨＤＤ１３０に記録された動画データを視聴可能な信号に変換出力する。このため、再生処理部１２０は図２に示すように、デマルチプレクサ２１０（以下、ＤｅＭＵＸと称する）、ビデオ再生処理部２２０、及びオーディオ再生処理部２３０を有する。
【００２３】
ＤｅＭＵＸ２１０は信号処理部１１０から出力される動画データをビデオデータ及びオーディオデータに分割する。このとき、ＤｅＭＵＸ２１０はビデオデータ及びオーディオデータを識別するため後述するストリームＩＤとサブストリームＩＤを参照する。ビデオデータ及びオーディオデータはそれぞれ多数のビデオストリーム及びオーディオストリームからなる。以下、ビデオストリーム及びオーディオストリームに基づいて本発明について説明する。
【００２４】
ビデオ再生処理部２２０はビデオデコーダー２２２、ビデオ処理部２２４、ビデオバッファ２２６、及びビデオＤＡＣ（デジタルアナログ変換器）２２８を有する。
【００２５】
ビデオデコーダー２２２はＤｅＭＵＸ２１０から入力されるビデオストリームをデコードする。すなわち、ビデオデコーダー２２２は所定の圧縮方式（例えば、ＭＰＥＧ−２）により圧縮されたビデオストリームの圧縮を解凍する。このとき、デコードされたビデオストリームは多数のビデオパックからなる。
【００２６】
ビデオ処理部２２４は圧縮解凍されたビデオストリームを視聴可能な信号に処理する。例えば、ビデオ処理部２２４はビデオストリームのような主映像と、字幕及びＧＵＩメニューのような副映像とを合成して出力する。また、ビデオ処理部２２４は所定のＯＳＤ信号を生成するためのＯＳＤ処理部２２４ａを含む。ＯＳＤ処理部により生成されたＯＳＤ信号はビデオストリームと合成されたり単独に出力される。
【００２７】
ビデオバッファ２２６はビデオ処理部２２４から提供されたビデオストリームを臨時保存する。ビデオＤＡＣ２２８はビデオバッファ２２６から出力されるビデオストリームをアナログビデオストリームに変換した後出力端子１２５に出力する。
【００２８】
オーディオ再生処理部２３０はオーディオデコーダー２３２、オーディオバッファ２３４、及びオーディオＤＡＣ２３６を有する。
【００２９】
オーディオデコーダー２３２は分割されたオーディオストリームをデコードする。すなわち、オーディオデコーダー２３２はオーディオストリームの圧縮方式に対応する方式でオーディオストリームの圧縮を解凍する。このとき、デコードされたオーディオストリームは多数のオーディオパックからなる。オーディオバッファ２３６は圧縮解凍されたオーディオストリームをバッファリングした後出力する。オーディオＤＡＣ２３４はオーディオバッファ２３６から出力されるデジタルオーディオストリームをアナログオーディオストリームに変換する。
【００３０】
ビデオバッファ２２８及びオーディオバッファ２３６から出力されたビデオストリーム及びオーディオストリームは出力端子１２５及び伝送ケーブル（図示せず）を通してテレビ（図示せず）に伝送され動画に表示される。伝送ケーブル（図示せず）は出力端子１２５に連結される。
【００３１】
一方、ビデオデコーダー２２２から出力されるビデオストリームのビデオパックは図３Ａのようなデータ構造を有し、オーディオデコーダー２３２から出力されるオーディオストリームのオーディオパックは図３Ｂまたは図３Ｃのようなデータ構造を有する。
【００３２】
図３Ａ〜３Ｃに示すように、ビデオパック及びオーディオパックはパックヘッダーとパケットとに区分される。
【００３３】
各パックヘッダーはパックスタートコード、ＳＣＲ（システムクロックリファレンス）を含む。ＳＣＲは一種のタイムスタンプとして、現在、パックがＤｅＭＵＸ２１０を通過する時の時間を表す。
【００３４】
ビデオパケット及びオーディオパケットはそれぞれパケットヘッダーと実際データが盛り込まれたペイロードフィールドを含む。各パケットヘッダーはパケットスタートコード、ストリームＩＤ、ＰＴＳ、ＤＴＳ（デコーディングタイムスタンプ）、及びその他データを含む。
【００３５】
ストリームＩＤはビデオストリーム及びオーディオストリームの圧縮方式を表す識別情報である。一般にビデオストリームの圧縮方式はＭＰＥＧ方式が適用され、オーディオストリームの圧縮方式は大きくＭＰＥＧ、ＡＣ−３（オーディオコーディング−３、すなわち、ドルビー）、ＤＴＳ（デジタルシアターシステム）、ＭＰ３などに区分される。
【００３６】
図３Ａ及び図３Ｂのように、ビデオストリーム及びオーディオストリームの圧縮方式がＭＰＥＧ−２である場合、例えば、オーディオパックのビデオストリームＩＤは「１１００  ００００」であり、オーディオストリームＩＤは「１１１０  ００００」である。
【００３７】
また、図３Ｃのように、オーディオストリームの圧縮方式がＡＣ−３または線形ＰＭＣである場合、オーディオパックはサブストリームＩＤをさらに含む。オーディオストリームがＡＣ−３により圧縮された場合、例えば、オーディオストリームＩＤは「１０１１  １１０１」であり、サブストリームＩＤは「１０００  ００００」である。また、オーディオストリームが線形ＰＣＭにより圧縮された場合、例えば、オーディオパックのオーディオストリームＩＤは「１０１１  １１０１」であり、サブストリームＩＤは「１０１０  ００００」である。すなわち、ＡＣ−３及び線形ＰＣＭはサブストリームにより区別される。
【００３８】
ＰＴＳは一種のタイムスタンプとして、デコードされたビデオストリームまたはデコードされたオーディオストリームがテレビ（図示せず）に表示されたり、アンプ（図示せず）を介して出力された時の時間を表す。ＤＴＳ（デコーディングタイムスタンプ）は一種のタイムスタンプとして、ビデオストリームがビデオデコーダー２２２でデコードされた時間を表し、オーディオストリームには付加されない。
【００３９】
再び図１を参照すれば、ＨＤＤ１３０は光記録媒体１００ａに記録された動画データを始めとして、多様な拡張子を有するデータをＦＡＴファイルシステムにより記録及び管理する。
【００４０】
ユーザインタフェース部１３５は光再生装置１００から支援する機能を設定または遂行するための命令を制御部１８０に出力する。このため、ユーザインタフェース部１３５は多数の数字キー、方向キー、確認キーのような多数の操作キーを備える。
【００４１】
本発明において、ユーザインタフェース部１３５はオーディオ個体に対する編集機能を提供する区間選択部１３５ａ、属性情報入力部１３５ｂ、モード選択部１３５ｃ、及び再生選択部１３５ｄを有する。
【００４２】
区間選択部１３５ａはユーザにより現在再生中のオーディオストリームの区間選択を入力される。すなわち、ユーザにより区間選択部１３５ａが選択されれば、区間選択部１３５ａは現在再生中のオーディオストリームのアドレス情報を保存するよう保存命令信号を出力する。アドレス情報は選択された区間のスタートアドレス及びエンドアドレスからなる。また、アドレス情報は選択された区間のスタートアドレス及び総再生時間からなる。
【００４３】
詳しく説明すれば、区間選択部１３５ａが最初選択されれば、区間選択部１３５ａは再生中のオーディオストリームのスタートアドレスを検出及び保存するよう区間スタート信号を制御部１８０に出力する。また、区間選択部１３５ａが再選択されれば、区間選択部１３５ａは再生中のオーディオストリームのエンドアドレスを検出及び保存するよう区間エンド信号を制御部１８０に出力する。ここで、スタートアドレス及びエンドアドレスはオーディオストリームのＰＴＳにより確認可能である。確認されたスタートアドレス及びエンドアドレス、あるいはスタートアドレス及び再生時間は属性情報保存部１４０に保存される。
【００４４】
選択された区間のオーディオストリームは区間スタート信号及び区間エンド信号が出力された間に存在する。また、選択された区間のオーディオストリーム（以下、オーディオ個体と称する）は人の独白、人との対話または背景音楽（バックグラウンドミュージック）のようなオーディオ成分であり、アドレス情報は図６のようなプレーリスト画面６００を生成するのに用いられる。
【００４５】
プレーリスト画面６００はユーザの便宜のため作成されるＧＵＩ（グラフィックユーザインタフェース）として、ユーザにより選択された区間のアドレス情報を表示する。したがって、ユーザは動画データを視聴する間、別の聴取を所望するオーディオストリームが再生される度に区間選択部１３５ａを選択することで、図６のようなプレーリスト画面６００を生成することができる。
【００４６】
属性情報保存部１４０にオーディオ個体のアドレス情報が保存されれば、ＯＳＤ処理部２２４ａは図４のような属性情報入力窓４００を生成する。生成された属性情報入力窓４００はテレビ（図示せず）の画面に表示される。図４において、「タイトル」はオーディオ個体が記録された光記録媒体１００ａの題を意味する。属性情報入力部１３５ｂは属性情報入力窓４００にオーディオ個体の属性情報を入力できる機能を提供する。このとき、入力される属性情報はテキスト属性を有する。
【００４７】
属性情報入力部１３５ｂは例えば、キーボード（図示せず）のように多数のテキスト入力キーを有したり、キーボード形態のグラフィック画面がテレビ（図示せず）に表示され属性情報を入力することができる。ここで、属性情報は動画データのタイトル（例えば、ＯＳＴ題）、オーディオ個体の題及びオーディオ個体の付加情報（例えば、保存日付け、その他説明）のうち少なくとも１つからなる。
【００４８】
属性情報入力部１３５ｂに入力されるオーディオ個体の属性情報は予め保存されたアドレス情報と連係して属性情報保存部１４０に保存される。すなわち、オーディオ個体のアドレス情報及び属性情報はルックアップテーブル形態に保存される。また、ユーザによりオーディオ個体のアドレス情報及び属性情報は光記録媒体１００ａのタイトル別に保存される。このような属性情報保存部１４０は揮発性メモリと不揮発性メモリのうちいずれかを使用する。以下、「オーディオ個体の位置情報及び属性情報」は「オーディオ個体のリスト情報」と称する。
【００４９】
モード選択部１３５ｃはタイトルリストモードを選択できるモード選択信号を出力する。モード選択部１３５ｃが選択されれば、リスト生成部１４５は属性情報保存部１４０に保存されたタイトルを読み出してタイトルリストデータを生成する。このとき、リスト生成部１４５は設定された整列パターンでタイトルリストデータを生成する。整列パターンはタイトルの降順、昇順、または保存された日付け別など多様に設定することができる。生成されたタイトルリストデータはグラフィックエンジン１５０に提供される。
【００５０】
グラフィックエンジン１５０はリスト生成部１４５から生成されたタイトルリストデータをテレビ（図示せず）に表示できるグラフィックデータに生成した後、ビデオ処理部２２４に出力する。タイトルリストデータにより生成されたグラフィックデータは図５に図示したＧＵＩ画面でテレビ（図示せず）に表示される。
【００５１】
私だけのタイトルリスト画面５００が表示された後、モード選択部１３５ｃの再選択または別のキー（図示せず）選択により聴取を所望するタイトルが選択されれば、リスト生成部１４５は選択されたタイトルに対応するプレーリストデータを生成する。
【００５２】
例えば、図５における「ピアニストの伝説」が選択されれば、リスト生成部１４５は「ピアニストの伝説」に対応する多数のオーディオ個体リスト情報を属性情報保存部１４０から読み出してプレーリストデータを生成する。そして、グラフィックエンジン１５０はプレーリストデータをテレビ（図示せず）に表示できるグラフィックデータに生成した後、ビデオ処理部２２４に出力する。プレーリストデータに対するグラフィックデータは図６に図示したＧＵＩ画面で表示される。
【００５３】
再生選択部１３５ｄは図６のようなプレーリスト画面６００から聴取を所望するオーディオ個体を選択して再生選択信号を出力する。オーディオ個体は上述した光ディスクドライブ１０５、信号処理部１１０、及びオーディオ再生処理部２３０により聴取可能な信号に再生される。
【００５４】
上述したユーザインタフェース部１３５に付与された機能は遠隔制御器（図示せず）にも同様に付与されることが好ましい。
【００５５】
通信インタフェース部１６０は汎用直列バス（ユニバーサルシリアルバス、以下、ＵＳＢと称する）インタフェースであって、外部機器と連結されデータ通信を行う。例えば、ＨＤＤ１３０に記録されたデータ、属性情報保存部１４０に記録されたデータは通信インタフェース部１６０を介してＰＣ１６０ａに転送される。
【００５６】
スロット１６５は外部記録媒体が着脱されるインタフェースである。また、ＳＣＳＩ（スモールコンピュータシステムインタフェース）（図示せず）が設けられた場合、外部ＨＤＤ（図示せず）も連結可能である。したがって、属性情報保存部１４０に記録されたデータはスロット１６５によりメモリスティック１６５ａのような外部記録媒体に記録可能であり、ＳＣＳＩ（図示せず）により外部ＨＤＤ（図示せず）に記録可能である。
【００５７】
メインメモリ部１７０には光再生装置１００の全般的な動作を制御及び管理するための制御プログラムが格納されている。
【００５８】
制御部１８０はユーザインタフェース部１３５または遠隔制御器（図示せず）から発生する信号及びメインメモリ部１７０に格納された制御プログラムに応じて光再生装置１００の全般的な動作を制御する。
【００５９】
本発明において、制御部１８０は光記録媒体１００ａに記録された動画データのうち、オーディオ個体のアドレス情報を属性情報保存部１４０に保存させる。また、制御部１８０はプレーリスト画面６００の中で所定のオーディオ個体の再生が選択されれば、オーディオ個体のアドレス情報に対応するオーディオストリームを光記録媒体１００ａから読み出して再生処理する。
【００６０】
すなわち、図１〜８に示すように、本発明はユーザが聴取を所望するオーディオ区間のみを再生するユーザのニーズに合わせたサービスを提供する。これに関する説明は図７及び図８に基づいて詳説する。
【００６１】
図７は図１の区間選択部により選択されたオーディオ個体のアドレス情報を保存する方法を概略的に説明するためのフローチャートである。
【００６２】
図１〜７に示すように、まず、光ディスクドライブ１０５に動画データの記録された光記録媒体１００ａが搭載されれば、制御部１８０は光ディスクドライブ１０５、信号処理部１１０、及び再生処理部１２０を制御して、動画データを再生させる（Ｓ７０５）。このとき、動画データは再生処理部１２０によりビデオストリーム及びオーディオストリームに分離され視聴可能な信号に処理される。
【００６３】
再生中ユーザにより区間選択部１３５ａが選択され区間スタート信号が受信されれば、制御部１８０は再生中のオーディオストリームのスタートアドレス情報及びオーディオ圧縮方式を確認する（Ｓ７１０、Ｓ７１５）。ここで、制御部１８０は区間スタート信号が受信された時点の現在アドレス情報をスタートアドレスとして判断したり、現在アドレスより所定の範囲以前のアドレスをスタートアドレスとして判断する。
【００６４】
詳しく説明すれば、制御部１８０は区間スタート信号が受信された時点のスタート時間を、オーディオ再生処理部２３０から出力されているＰＴＳから確認する。そして、制御部１８０はＰＴＳにより確認されたスタート時間をオーディオ個体のスタートアドレス情報として判断する。好ましくは、制御部１８０は区間スタート信号が受信された時点のスタート時間より所定の範囲だけ早い時間をオーディオ個体のスタートアドレス情報として判断する。また、制御部１８０はオーディオパックのストリームＩＤまたはサブストリームＩＤから再生中のオーディオストリームの圧縮方式を確認する。
【００６５】
そして、制御部１８０は確認されたスタートアドレス情報及びオーディオ圧縮方式が属性情報保存部１４０に保存されるよう処理する（Ｓ７２０）。ユーザにより区間選択部１３５ａが再選択され区間エンド信号が受信されれば（Ｓ７２５）、制御部１８０はオーディオ個体のエンドアドレス情報を確認して属性情報保存部１４０に保存されるよう処理する（Ｓ７３０）。このとき、制御部１８０は区間エンド信号が受信される時点の現在アドレス情報をエンドアドレス情報として判断したり、区間エンド信号が受信される時点より所定の範囲以前のアドレスをエンドアドレス情報として判断する。
【００６６】
詳しく説明すれば、オーディオ個体のスタートアドレス情報及びエンドアドレス情報はオーディオ再生処理部２３０から出力されるＰＴＳにより確認できる。すなわち、制御部１８０は区間エンド信号が受信される時、デコードされるオーディオストリームのＰＴＳ情報を再生処理部１２０のオーディオパックから確認した後、確認されたＰＴＳ情報をエンドアドレス情報として判断する。好ましくは、制御部１８０は区間エンド信号が受信された時点のエンド時間より所定の範囲以前の時間をオーディオ個体のエンドアドレス情報として判断する。
【００６７】
Ｓ７３０段階が行われると、制御部１８０は属性情報入力窓４００を生成した後、生成された属性情報入力窓４００がテレビ（図示せず）に表示されるようＯＳＤ処理部２２４ａを制御する（Ｓ７３５）。
【００６８】
属性情報入力窓４００はオーディオ個体のエンドアドレス情報が保存される度に表示される。また、光記録媒体１００ａのタイトル入力窓は最初一回だけ空欄で表示されることが好ましく、以後、タイトルの入力された属性情報入力窓４００が表示されることが好ましい。すなわち、タイトル入力窓はユーザの設定に応じて区間選択する毎に順次自動付与される。
【００６９】
属性情報入力窓４００がテレビ（図示せず）に表示された後、ユーザの属性情報入力部１３５ｂの操作によりオーディオ個体の属性情報が入力されれば（Ｓ７４０）、制御部１８０は入力された属性情報を保存するよう属性情報保存部１４０を制御する（Ｓ７４５）。これにより、オーディオ個体のアドレス情報及び属性情報（すなわち、リスト情報）が保存される。このとき、オーディオ個体のリスト情報はオーディオ個体別及びタイトル別に保存される。
【００７０】
Ｓ７４５段階以後、動画データの再生が続いて進行中であれば（Ｓ７５５）、制御部１８０は上述したＳ７１０段階〜Ｓ７４０段階を再実行するよう処理する。また、Ｓ７５５段階において、動画データの再生が進行中でなければ、映画の再生が完了されたと判断する（Ｓ７６０）。これによって、ユーザにより選択されたオーディオ個体のアドレス情報は再生中の動画データから抽出して属性情報保存部１４０に保存される。保存されたオーディオ個体のリスト情報はプレーリスト画面６００生成に使用される。
【００７１】
一方、Ｓ７４０段階において、所定の時間以後にも属性情報が入力されなければ、制御部１８０は現在日付け、現在時間などを確認して属性情報保存部１４０に保存させる（Ｓ７５０）。
【００７２】
一方、Ｓ７１５段階及びＳ７３０段階において、制御部１８０はオーディオ個体のスタートアドレス情報及びエンドアドレス情報としてピックアップ（図示せず）が指示するトラックの位置を使用することができる。詳しく説明すれば、制御部１８０はＳ７１０段階において、区間スタート信号が受信された時点と同一、あるいは類似時間にピックアップ（図示せず）が指示する光記録媒体１００ａの第１トラック位置をオーディオ個体のスタートアドレス情報として判断する。また、制御部１８０はＳ７２５段階において、区間エンド信号が受信された時点と同一、あるいは類似時間にピックアップ（図示せず）が指示する光記録媒体１００ａの第２トラック位置情報をエンドアドレス情報として判断する。そして、制御部１８０は判断された第１トラック位置情報及び第２トラック位置情報を保存するよう属性情報保存部１４０を制御する。
【００７３】
図８は図７で保存されたオーディオ個体の属性情報を利用してオーディオ個体を再生する方法を概略的に説明するためのフローチャートである。
【００７４】
図１〜８に示すように、まず、ユーザの操作によりモード選択部１３５ｃからモード選択信号が受信されれば、制御部１８０は私だけのタイトルリスト画面５００がテレビ（図示せず）に表示されるよう処理する（Ｓ８１０、Ｓ８２０）。詳しく説明すれば、モード選択信号が受信されれば、制御部１８０は属性情報保存部１４０に保存されたタイトルデータを読み出してタイトルリスト画面５００を生成するよう属性情報保存部１４０、リスト生成部１４５、グラフィックエンジン１５０、及びビデオ処理部２２４を制御する。
【００７５】
タイトルリスト画面５００がテレビ（図示せず）に表示された後、モード選択部１３５ｃの再選択により聴取を所望するタイトルが選択されれば（Ｓ８３０）、制御部１８０は選択されたタイトルの記録された光記録媒体１００ａが光ディスクドライブ１０５に装着されているか確認する（Ｓ８４０）。
【００７６】
光記録媒体１００ａが装着されていれば、制御部１８０は属性情報保存部１４０、リスト生成部１４５、グラフィックエンジン１５０、及びビデオ処理部２２４を制御することで、Ｓ８２０段階で選択されたプレーリスト画面６００がテレビ（図示せず）に表示される（Ｓ８５０）。
【００７７】
プレーリスト画面６００が表示された後、ユーザの再生選択部１３５ｄの操作により再生を所望するオーディオ個体が選択されれば、制御部１８０は選択された少なくとも１つのオーディオ個体のアドレス情報及び圧縮方式を確認する（Ｓ８６０、Ｓ８７０）。オーディオ個体のアドレス情報及び圧縮方式は属性情報保存部１４０から確認できる。
【００７８】
そして、制御部１８０は確認されたアドレス情報に対応するオーディオストリームのみを光記録媒体１００ａから抽出して所定の順序に再生するよう光ディスクドライブ１０５、信号処理部１１０、及びオーディオ再生処理部２３０を制御する（Ｓ８８０）。このとき、制御部１８０はＳ８６０段階で確認された圧縮方式に対応する方式に基づいて背景音楽の圧縮を解凍させる。
【００７９】
一方、Ｓ８４０段階で光記録媒体１００ａが装着されていなければ、制御部１８０は光記録媒体１００ａの装着を勧めるガイドメッセージを表示させる（Ｓ８９０）。例えば、Ｓ８２０段階で「ピアニストの伝説」が選択されれば、制御部１８０は「ピアニストの伝説が記録されたＤＶＤを装着してください」というガイドメッセージをＯＳＤ処理して表示するようＯＳＤ処理部２２４ａを制御する。そして、選択されたＯＳＴの動画データの記録された光記録媒体１００ａが光ディスクドライブ１０５に装着されれば（Ｓ８９５）、制御部１８０は上述したＳ８５０段階〜Ｓ８８０段階を行う。
【００８０】
また、Ｓ８３０段階で選択されたＯＳＴの動画データがＨＤＤ２３５に記録された場合、Ｓ８４０段階、Ｓ８９０段階、及びＳ８９５段階を省略することができるのは自明である。
【００８１】
本発明の第１実施形態によれば、光記録媒体１００ａを利用して所望するオーディオ区間のみを選択聴取できる。例えば、映画が記録されたＤＶＤにおいて、ＯＳＴが記録された別の記憶媒体を購入せずに同一ＤＶＤを利用して選好度が高いＯＳＴのみを抽出して聴取できる。
【００８２】
図９は本発明の好適な第２実施形態による光再生装置を概略的に説明するためのブロック図である。
【００８３】
同図に示すように、本発明に係る光再生装置９００は光ディスクドライブ９０５、信号処理部９１０、再生処理部９２０、出力端子９２５、サブメモリ部９４０、リスト生成部９４５、グラフィックエンジン９５０、ユーザインタフェース部９５５、通信インタフェース部９６０、スロット９６５、メインメモリ部９７０、及び制御部９９０を含む。
【００８４】
まず、同図は光再生装置９００の中で動画データの再生と関連するブロックのみを図示し、その他のブロックの図示は省略する。また、同図に図示した光ディスクドライブ９０５、信号処理部９１０、再生処理部９２０、出力端子９２５、リスト生成部９４５、グラフィックエンジン９５０、通信インタフェース部９６０、スロット９６５、メインメモリ部９７０、及び制御部９９０と、図１に図示した光ディスクドライブ１０５、信号処理部１１０、再生処理部１２０、出力端子１２５、リスト生成部１４５、グラフィックエンジン１５０、通信インタフェース部１６０、スロット１６５、メインメモリ部１７０、及び制御部１８０とは類似しているため詳細な説明は省略する。
【００８５】
但し、ユーザインタフェース部９３５は区間選択部９３５ａ、属性情報入力部９３５ｂ、モード選択部９３５ｃ、及び再生選択部９３５ｄを有する。
【００８６】
区間選択部９３５ａはユーザにより現在再生中のオーディオストリームの区間選択を入力される。すなわち、ユーザにより区間選択部９３５ａが選択されれば、区間選択部９３５ａは現在再生中の実際オーディオストリームを保存するよう保存命令信号を出力する。オーディオストリームはサブメモリ部９４０に保存される。サブメモリ部９４０は半導体メモリ、またはＨＤＤを使用する。
【００８７】
詳しく説明すれば、区間選択部１３５ａが最初選択されれば、区間選択部１３５ａはオーディオデコーダー２３２から出力されるオーディオストリームを保存するよう区間スタート信号を制御部１８０に出力する。また、区間選択部１３５ａが再選択されれば、区間選択部１３５ａは現在保存中のオーディオストリームの保存を終了するよう区間エンド信号を制御部１８０に出力する。すなわち、ユーザは別の保存を所望するオーディオ区間を選択することができる。以下、選択された区間のオーディオストリームを「オーディオ個体」と言う。
【００８８】
サブメモリ部９４０にオーディオ個体が保存されれば、テレビ（図示せず）の画面には図４のような属性情報入力窓４００が表示される。ユーザは属性情報入力部９３５ｂを操作してオーディオ個体の属性情報を入力し、入力されるオーディオ個体の属性情報はサブメモリ部９４０にオーディオ個体別に保存される。
【００８９】
モード選択部９３５ｃが選択されれば、リスト生成部９４５はサブメモリ部９４０に保存されたタイトルを読み出してタイトルリストデータを生成する。グラフィックエンジン９５０は生成されたタイトルリストデータをグラフィックデータに生成する。生成されたグラフィックデータは図５のようなタイトルリスト画面５００でテレビ（図示せず）に表示される。
【００９０】
タイトルリスト５００が表示された後、別のキー操作により再生を所望するタイトルが選択されれば、リスト生成部９４５は選択されたタイトルに対応するプレーリストデータを生成する。すなわち、リスト生成部９４５は選択されたタイトルに対応するオーディオ個体の属性情報をサブメモリ部９４０から読み出してプレーリストデータを生成する。グラフィックエンジン９５０はプレーリストデータをグラフィックデータに生成する。プレーリストデータに対するグラフィックデータは図１０のようなプレーリスト画面１０００に表示される。
【００９１】
再生選択部９３５ｄはプレーリスト画面９０００から聴取を所望するオーディオ個体を選択して再生選択信号を出力する。選択されたオーディオ個体は上述したオーディオ再生処理部２３０により聴取可能な信号に再生される。
【００９２】
上述したユーザインタフェース部９３５に付与された機能は遠隔制御器（図示せず）にも同様に付与されることが好ましい。また、サブメモリ部９４０に保存されたオーディオ個体、またはオーディオ個体の属性情報はポートとして適用されたスロット１６５を介してメモリスティック９６５ａに保存される。
【００９３】
本発明の第２実施形態において、制御部９８０は光記録媒体９００ａに記録された動画データの中で選択されたオーディオ個体をサブメモリ部９４０に保存させる。これについて、図１１に基づいて詳説する。
【００９４】
図１１は図３の区間選択部により選択されたオーディオ個体を保存する方法を概略的に説明するためのフローチャートである。
【００９５】
以下、図２〜５及び図９〜１１に基づいて説明する。
【００９６】
まず、光記録媒体９００ａの動画データが再生中、区間選択部９３５ａから区間スタート信号が受信されれば、制御部９８０は再生中のオーディオストリームのオーディオ圧縮方式を確認する（Ｓ１１０５、Ｓ１１１０、Ｓ１１１５）。オーディオ圧縮方式はオーディオ再生処理部２３０から出力されるＰＴＳにより確認される。
【００９７】
そして、制御部９８０は区間スタート信号が受信された時点にオーディオデコーダー２３２から出力されるオーディオストリーム及び確認されたオーディオ圧縮方式がサブメモリ部９４０に保存されるよう処理する（Ｓ１１２０）。ここで、制御部９８０は区間スタート信号が受信された時点にオーディオバッファ２３４に臨時保存されたオーディオストリームもサブメモリ部９４０に保存されるよう処理する。これは、ユーザが保存を所望していると判断してから区間選択部９３５ａを選択するまでの間に、保存されず流失され得るオーディオストリームも共に保存するためである。再び、区間選択部９３５ａから区間エンド信号が受信されれば、制御部９８０はオーディオストリームの保存を終了させる（Ｓ１１２５、Ｓ１１３０）。
【００９８】
Ｓ１１３０段階が行われると、制御部９８０は属性情報入力窓４００を生成した後、生成された属性情報入力窓４００がテレビ（図示せず）に表示されるようＯＳＤ処理部２２４ａを制御する（Ｓ１１３５）。属性情報入力窓４００がテレビ（図示せず）に表示された後、ユーザの属性情報入力部９３５ｂの操作によりオーディオ個体の属性情報が入力されれば（Ｓ１１４０）、制御部９８０は入力された属性情報を保存するようサブメモリ部９４０を制御する（Ｓ１１４５）。ここで、オーディオ個体の属性情報はオーディオ個体別及びタイトル別に保存される。
【００９９】
Ｓ１１４５段階以後、動画データの再生が続いて進行中であれば（Ｓ１１５５）、制御部９８０は上述したＳ１１１０段階〜Ｓ１１４０段階を再実行するよう処理する。また、Ｓ１１５５段階において、動画データの再生が進行中でなければ、映画の再生が完了されたと判断する（Ｓ１１６０）。これによって、ユーザにより選択された区間のオーディオストリーム、すなわち、オーディオ個体を再生中の動画データから抽出してサブメモリ部９４０に保存する。保存されたオーディオ個体のリスト情報はプレーリスト画面１０００生成に用いられる。
【０１００】
一方、Ｓ１１４０段階において、所定の時間以後にも属性情報が入力されなければ、制御部９８０は現在日付け、現在時間などを確認してサブメモリ部９４０に保存させる（Ｓ１１５０）。
【０１０１】
本発明の第２実施形態によれば、プレーリスト画面１０００の中で所定のオーディオ個体の再生が選択されれば、光記録媒体９００ａが装着されていなくても選択されたオーディオ個体をサブメモリ部９４０から読み出して再生処理することができる。このとき、選択された区間のオーディオストリームのオーディオ個体は保存される前にエンコーダー（図示せず）により圧縮された後、保存されることもできる。
【０１０２】
図１２は本発明の好適な第３実施形態による光記録再生装置を概略的に示すブロック図である。図１３は図１２に図示した記録処理部をより詳しく示すブロック図である。
【０１０３】
図１２に示すように、本発明に係る光記録再生装置１２００は光ディスクドライブ１２０５、信号処理部１２１０、再生処理部１２２０、出力端子１２２５、記録処理部１２３０、入力端子１２３５、ＨＤＤ１２４０、ユーザインタフェース部１２４５、サブメモリ部１２５０、リスト生成部１２５５、グラフィックエンジン１２６０、通信インタフェース部１２６５、スロット１２７０、メインメモリ部１２７５、及び制御部１２８０を含む。
【０１０４】
図１２は光記録再生装置１２００の中で動画データの再生と関連するブロックのみを図示し、その他のブロックの図示は省略する。また、同図に図示した光ディスクドライブ１２０５、信号処理部１２１０、再生処理部１２２０、出力端子１２２５、ユーザインタフェース部１２４５、サブメモリ部１２５０、リスト生成部１２５５、グラフィックエンジン１２６０、通信インタフェース部１２６５、スロット１２７０、メインメモリ部１２７５、及び制御部１２８０と、図９に図示した光ディスクドライブ９０５、信号処理部９１０、再生処理部９２０、出力端子９２５、サブメモリ部９４０、リスト生成部９４５、グラフィックエンジン９５０、ユーザインタフェース部９３５、通信インタフェース部９６０、スロット９６５、メインメモリ部９７０、及び制御部９８０とは類似しているため詳細な説明は省略する。
【０１０５】
図１２に図示した光記録再生装置１２００は図９及び図１１に基づいて説明したように、第１光記録媒体１２００ａに記録された動画データの中で選択された区間のオーディオデータをサブメモリ部１２５０に保存する。そして、サブメモリ部１２５０に保存された少なくとも１つのオーディオデータ、すなわち、オーディオ個体をプレーリスト画面１０００を利用して選択した後再生する。ここで、サブメモリ部１２５０として半導体メモリ、ＨＤＤが適用可能である。
【０１０６】
一方、本発明に係る光記録再生装置１２００は記録処理部１２３０を利用して記録対象データを第２光記録媒体（図示せず）に記録可能である。記録対象データは入力端子１２３５を介して入力される動画データ、ＨＤＤ１２４０に記録されたデータ、サブメモリ部１２５０に記録されたオーディオ個体及び／またはオーディオ個体の属性情報を例に挙げられる。また、第２光記録媒体（図示せず）の例として、ＣＤ−Ｒ、ＣＤ−ＲＷ、ＤＶＤ、ＤＶＤ−ＲＡＭ、ＤＶＤ−ＲＯＭ、ＤＶＤ±ＲＷなどを例に挙げられる。
【０１０７】
このため、光記録再生装置１２００の記録処理部１２３０は図１３に図示したように、ビデオ記録処理部４１０、オーディオ記録処理部４２０、及びマルチプレクサ４３０（Ｍｕｌｔｉｐｌｅｘｅｒ、以下、ＭＵＸと称する）を有する。また、入力端子１２３５はチューナ（図示せず）を介して選局されたチャネルの放送信号、または所定の映像ソース源から提供された動画ストリームを受信し、多数備えられる。
【０１０８】
ビデオ記録処理部４１０はビデオＡＤＣ（アナログデジタル変換器）４１２及びビデオエンコーダー４１４を有する。ビデオＡＤＣ４１４は入力端子１２８０を介して入力されるビデオストリームをデジタルビデオストリームに変換する。ビデオエンコーダー４１４は変換されたデジタルビデオストリームをエンコードする。すなわち、ビデオエンコーダー４１４はＭＰＥＧ−２圧縮方式によりデジタルビデオストリームを圧縮する。
【０１０９】
オーディオ記録処理部４２０はオーディオＡＤＣ４２２及びオーディオエンコーダー４２４を有する。オーディオＡＤＣ４２２は入力端子１２８０を介して入力されるオーディオストリームをデジタルオーディオストリームに変換する。オーディオエンコーダー４２４は変換されたデジタルオーディオストリームをエンコードする。すなわち、オーディオエンコーダー４２４は所定の圧縮方式でデジタルオーディオストリームを圧縮する。
【０１１０】
圧縮されたビデオストリーム及びオーディオストリームは出力端子１２８５及び伝送ケーブル（図示せず）を介してテレビ（図示せず）に提供されて動画に表示される。また、ビデオＡＤＣ４１２及びオーディオＡＤＣ４２２に入力されるビデオストリーム及びオーディオストリームがデジタル信号である場合、ビデオＡＤＣ４１２及びオーディオＡＤＣ４２２は入力されるビデオストリーム及びオーディオストリームをバイパス（ｂｙｐａｓｓ）させる。
【０１１１】
サブメモリ部１２５０に保存されたオーディオ個体を第２光記録媒体（図示せず）に記録する場合、制御部１２８０はサブメモリ部１２５０からオーディオ個体を読み出してオーディオエンコーダー４２４に出力する。オーディオエンコーダー４２４は提供されたオーディオ個体を圧縮し、制御部１２８０は圧縮されたオーディオ個体を信号処理部１２１０に出力する。
【０１１２】
信号処理部１２１０は出力されるオーディオ個体を光学信号に変換する。そして、光ディスクドライブ１２０５のピックアップ（図示せず）は変換された光学信号を第２光記録媒体（図示せず）に記録する。このとき、光ピックアップ（図示せず）は制御部１２８０の制御により所定のフォーマットにオーディオストリームを記録する。ＤＶＤオーディオデータフォーマットとしてＣＤ−Ａｕｄｉｏ、ＤＶＤ−ＤＡ、ＤＶＤ−Ａｕｄｉｏなどがある。データフォーマットは記録媒体にデータを記録する時どのような形態のストリームで記録するかを意味する。
【０１１３】
一方、サブメモリ部１２５０に保存されたオーディオ個体の属性情報は第２光記録媒体（図示せず）、ＰＣ１２６５ａ、外部記録媒体１２７５ａなどに再記録可能である。例えば、第２光記録媒体（図示せず）に記録する場合、保存されたオーディオ個体の属性情報はＡＴＡＰＩ（アドバンストテクノロジーアタッチメントパケットインタフェース）信号変換部１２８０ａによりＡＴＡＰＩ信号に変換される。変換されたオーディオ個体の属性情報は光ディスクドライブ１２０５により第２光記録媒体（図示せず）に記録される。サブメモリ部１２５０に保存された属性情報はテキスト形式であるため、信号処理部１２１０の信号処理なしに直接記録される。
【０１１４】
一方、上述した再生処理部１２２０及び記録処理部１２３０は動画データの圧縮／解凍を行うコーデック（図示せず）に実現可能である。
【０１１５】
サブメモリ部１２５０が揮発性メモリである場合、サブメモリ部１２５０に保存されたオーディオ個体及びオーディオ個体の属性情報は電源オフと同時に削除処理される。したがって、サブメモリ部１２５０に保存されたオーディオ個体及びオーディオ個体の属性情報を第２光記録媒体（図示せず）に記録した場合、ユーザは第２光記録媒体（図示せず）を利用してオーディオ個体を再生させることができる。
【０１１６】
第２光記録媒体（図示せず）が光ディスクドライブ１２０５に搭載された後、モード選択部１２４５ｃが選択されれば、リスト生成部１２５５は第２光記録媒体（図示せず）に保存されたオーディオ個体の属性情報の中でタイトルを読み出してタイトルリストデータを生成する。グラフィックエンジン１２６０は生成されたタイトルリストデータをグラフィックデータに生成する。生成されたグラフィックデータは図５のようなタイトルリスト画面５００でテレビ（図示せず）に表示される。
【０１１７】
タイトルリスト５００が表示された後、再生を所望するタイトルが選択されれば、リスト生成部１２５５は選択されたタイトルに対応するプレーリストデータを生成する。すなわち、リスト生成部１２５５は選択されたタイトルに対応するオーディオ個体の属性情報を第２光記録媒体（図示せず）から読み出してプレーリストデータを生成する。グラフィックエンジン１２６０はプレーリストデータをグラフィックデータに生成する。プレーリストデータに対するグラフィックデータは図１０に図示したプレーリスト画面１０００に表示される。
【０１１８】
再生選択部１２４５ｄはプレーリスト画面１０００から聴取を所望するオーディオ個体を選択して再生選択信号を出力する。第２光記録媒体（図示せず）に記録された選択されたオーディオ個体は上述した光ディスクドライブ１２０５、信号処理部１２１０、及びオーディオ再生処理部２３０により聴取可能な信号に再生される。
【０１１９】
本発明において、制御部１２８０は第１光記録媒体１２００ａに記録された動画データの中で選択されたオーディオ個体、及び／またはオーディオ個体の属性情報をサブメモリ部１２４０に保存させる。そして、制御部１２８０はサブメモリ部１２５０に保存されたオーディオ個体、及び／またはオーディオ個体の属性情報を第２光記録媒体（図示せず）に記録させる。これに関する説明は図１４に基づいて詳説する。
【０１２０】
図１４は図１２のサブメモリ部に保存されたオーディオ個体、及び／またはオーディオ個体の属性情報を第２光記録媒体に記録する方法を説明するためのフローチャートである。
【０１２１】
以下、図２〜５、図１１、及び図１２〜１４に基づいて説明する。
【０１２２】
まず、所定の動画データに対するオーディオ個体及びオーディオ個体の属性情報は図１１の過程によりサブメモリ部１２５０に保存されている（Ｓ１１００）。ユーザインタフェース部１２４５からライティング命令信号が受信されれば、制御部１２８０は第２光記録媒体（図示せず）が光ディスクドライブ１２０５に装着されているか確認する（Ｓ１４１０、Ｓ１４２０）。第２光記録媒体（図示せず）はサブメモリ部１２５０に保存されたオーディオ個体及びオーディオ個体の属性情報が記録される記録媒体である。
【０１２３】
Ｓ１４２０段階で第２光記録媒体（図示せず）が装着されていれば、制御部１２８０はサブメモリ部１２５０、リスト生成部１２５５、グラフィックエンジン１２６０、及びビデオ処理部２２４を制御することで、タイトルリスト画面７００がテレビ（図示せず）に表示される（Ｓ１４３０）。
【０１２４】
Ｓ１４３０段階以後、ユーザはユーザインタフェース部１２４５を操作して第２光記録媒体（図示せず）に記録するタイトルを選択する（Ｓ１４４０）。すると、制御部１２８０はサブメモリ部１２５０、リスト生成部１２５５、グラフィックエンジン１２６０、及びビデオ処理部２２４を制御することで、選択されたタイトルに対応するプレーリスト画面１０００がテレビ（図示せず）に表示される（Ｓ１４５０）。
【０１２５】
Ｓ１４５０段階以後、ユーザはユーザインタフェース部１２４５を操作して第２光記録媒体（図示せず）に記録する少なくとも１つのオーディオ個体を選択する（Ｓ１４５５）。オーディオ個体が選択されれば、制御部１２８０は選択されたオーディオ個体をサブメモリ部１２５０から読み出してオーディオエンコーダー４２４に提供し、選択されたオーディオ個体の属性情報をサブメモリ部１２５０から読み出してＡＴＡＰＩ信号変換部１２８０ａに出力する。これにより、Ｓ１４５５段階で選択されたオーディオ個体は圧縮され、オーディオ個体の属性情報はＡＴＡＰＩ信号に変換する（Ｓ１４６０）。
【０１２６】
Ｓ１４６０段階が行われれば、制御部２９０は圧縮されたオーディオ個体及びＡＴＡＰＩ信号に変換された属性情報を第２光記録媒体（図示せず）に記録するよう処理する（Ｓ１４６５）。圧縮されたオーディオ個体及びオーディオ個体の属性情報が第２光記録媒体（図示せず）に全て記録された後、電源オフ命令信号が受信されれば、制御部１２８０は揮発性メモリのサブメモリ部１２５０に保存されたオーディオ個体及び属性情報を削除処理した後、電源をオフさせる（Ｓ１４７０、Ｓ１４７５）。
【０１２７】
一方、Ｓ１４２０段階で第２光記録媒体（図示せず）が装着されていなければ、制御部１２８０は第２光記録媒体（図示せず）の装着を勧めるガイドメッセージを表示させる（Ｓ１４８０）。例えば、制御部１２８０は「オーディオ個体を記録する第２光記録媒体を装着して下さい」というガイドメッセージをＯＳＤ処理して表示するようＯＳＤ処理部３２４ａを制御する。そして、第２光記録媒体（図示せず）が光ディスクドライブ１２０５に装着されれば（Ｓ１４８５）、制御部１２８０は上述したＳ１４３０段階〜Ｓ１４７５段階を行う。
【０１２８】
一方、図１４のＳ１２５５段階で選択されたオーディオ個体及びオーディオ個体の属性情報は第２光記録媒体（図示せず）に記録されたが、これに限定されず、ＰＣ１２６５ａ、メモリスティック１２７５ａなどにも記録されることもできる。
【０１２９】
また、図１４のＳ１２５５段階で少なくとも１つのオーディオ個体が選択されれば、本発明は選択されたオーディオ個体の属性情報のみ第２光記録媒体（図示せず）に記録されるよう処理することもできる。すなわち、サブメモリ部１２５０が不揮発性メモリである場合、選択されたオーディオ個体はサブメモリ部１２５０にそのまま保存しておき、オーディオ個体の属性情報のみ第２光記録媒体（図示せず）に記録するものである。
【０１３０】
一方、上述した本発明に係る光再生装置１００、光再生装置９００、または光記録再生装置１２００としてＰＣが適用されれば、ユーザはキーボード（図示せず）のような入力装置を利用してオーディオ個体の属性情報を作成できる。そして、作成されたオーディオ個体の属性情報を別の記録媒体（図示せず）に保存することで、上述した本発明をより迅速、且つ正確に適用可能となる。
【０１３１】
図１５は本発明の好適な第４実施形態によるデータ再生装置を概略的に示すブロック図である。図１６は図１５に設けられた信号処理部１５３０をより詳しく示すブラック図である。
【０１３２】
図１５に示すように、本発明に係るデータ再生装置１５００はチューナ１５１０、入出力端子１５１５、スイッチング部１５２０、信号処理部１５３０、スピーカ１５４０、表示部１５４５、録画再生部１５５０、ユーザインタフェース部１５６０、メインメモリ部１５７０、及び制御部１５８０を含む。
【０１３３】
本発明に係るデータ再生装置１５００は一般のテレビ（図示せず）にＨＤＤ１５５６が内蔵された形態であって、別のビデオテープなしに所望するＡＶ（オーディオ／ビデオ）信号を録画、再生及び表示できるデジタルテレビである。
【０１３４】
チューナ１５１０はアンテナを通じて受信された多数のチャネル、例えば、空中波ＴＶ、ケーブルＴＶ、衛星ＴＶなどが有する多数のチャネルのうちユーザにより設定されたチャネルを選局する。
【０１３５】
入出力端子部１５１５は多様なＡＶ信号ソース源（図示せず）から生成されたＡＶ信号を受信する入力端子１５１５ａ及び録画再生部１５５０から再生されたＡＶ信号を外部に送信する出力端子１５１５ｂを有する。入力端子１５１５ａ及び出力端子１５１５ｂは相異なる属性のＡＶ信号を送受信するために多数個設けられることができる。
【０１３６】
スイッチング部１５２０はチューナ１５１０及び入力端子１５１５ａから入力される信号のうち所定のＡＶ信号をスイッチングして信号処理部１５３０及び録画再生部１５５０のうちいずれかに出力する。すなわち、再生する場合、スイッチング部１５２０は受信されるＡＶ信号を信号処理部１５３０に提供し、録画する場合には受信されるＡＶ信号を録画再生部１５５０に提供する。このとき、スイッチング部１５２０は制御部１５８０の制御により選択的にスイッチングし、ＡＶ信号をビデオ信号及びオーディオ信号に分離して出力する。
【０１３７】
信号処理部１５３０はビデオ処理部１５３２及びオーディオ処理部１５３４を有する。信号処理部１５３０はスイッチング部１５２０から出力された信号の特性（例えば、圧縮有無、アナログ信号、デジタル信号など）によって視聴可能な信号に信号処理する。このため、信号処理部１５３０はビデオ処理部１５３２及びオーディオ処理部１５３４を有する。図１６に図示したビデオ処理部１５３２及びオーディオ処理部１５３４は、図２に図示したビデオ再生処理部２２０及びオーディオ再生処理部２３０と類似した動作を行うため、詳細な説明は省略する。
【０１３８】
ビデオ処理部１５３２はビデオデコーダー２２２、ビデオ再生処理部２２４、ビデオバッファ２２６、及びビデオＤＡＣ２２８を有する。表示部１５４０がアナログ表示装置である場合、ビデオＤＡＣ２２６はビデオバッファ２２８から出力されるビデオ信号をアナログビデオ信号に変換した後、表示部１５４０に出力する。
【０１３９】
オーディオ処理部１５３４はオーディオデコーダー２３２、オーディオバッファ２３４、及びオーディオＤＡＣ２３６を有する。オーディオデコーダー２３２は分割されたオーディオ信号の圧縮を解凍する。オーディオバッファ２３６は圧縮解凍されたオーディオ信号をバッファリングしてから出力する。バッファリングされたデジタルオーディオ信号はスピーカ１５４５に出力されたり、オーディオＤＡＣ２３４によりアナログオーディオ信号に変換されスピーカ１５４５に出力される。
【０１４０】
表示部１５４０はＣＲＴ（陰極線管）、ＬＣＤ（液晶表示装置）、ＰＤＰ（プラズマ表示パネル）などを利用して実現可能である。表示部１５４０は選局されたチャネルに対する映像、録画再生部１５５０で再生される映像を表示したり、ＨＤＤ（ハードディスクドライブ）１５５６に保存されたプレーリスト画面１０００を表示する。
【０１４１】
録画再生部１５５０はＰＶＲ、ＤＶＲのような録画再生が可能な一種のセットボックスとして、スイッチング部１５２０から提供される所定のＡＶ信号をＨＤＤ１５５６に保存する。または、録画再生部１５５０はＨＤＤ１５５６に保存されたＡＶ信号を再生可能な信号に変換してスイッチング部１５２０に提供する。スイッチング部１５２０は録画再生部１５５０から入力されたＡＶ信号を出力端子１５１５ｂあるいは信号処理部１５３０に提供する。
【０１４２】
本発明において、録画再生部１５５０は信号処理部１５３０を介して再生されるＡＶ信号から所定区間のオーディオ信号を抽出し保存する。このため、録画再生部１５５０はＡＤＣ１５５２、コーデック部１５５４、ＨＤＤ１５５６、及びＤＡＣ１５５８を有する。
【０１４３】
ＡＤＣ１５５２はスイッチング部１５２０から提供されたＡＶ信号をデジタル信号に変換する。
【０１４４】
コーデック部１５５４はＡＤＣ１５５２から出力されるデジタルＡＶ信号を予め設定された圧縮方式に応じて圧縮する。圧縮されたＡＶ信号は記憶媒体として適用されたＨＤＤ１５５６にファイル形態で保存される。また、ＨＤＤ１５５６に保存されたＡＶファイルの中で所定のＡＶファイルに対する再生命令がユーザインタフェース部１５６０から入力されれば、コーデック部１５５４はＨＤＤ１５５６に圧縮保存されているＡＶ信号の圧縮を解凍してＤＡＣ１５５８に出力する。本発明において、圧縮方式としてＭＰＥＧ−２（Ｍｏｔｉｏｎ  Ｐｉｃｔｕｒｅ  Ｅｘｐｅｒｔｓ  Ｇｒｏｕｐ−２）による圧縮及び圧縮解凍を支援しているが、ＭＰＥＧ−２に限定されない。
【０１４５】
ＤＡＣ１５５８はコーデック部１５５４から出力されるデジタルＡＶ信号をアナログＡＶ信号に変換出力する。アナログに出力されたＡＶ信号はスイッチング部１５２０及び信号処理部１５３０を介して視聴者に視聴可能な映像／音響で提供される。
【０１４６】
ユーザインタフェース部１５６０はデータ再生装置１５００から支援する機能を設定または遂行するための命令を制御部１５８０に出力する。本発明において、ユーザインタフェース部１５６０は区間選択部１５６０ａ、属性情報入力部１５６０ｂ、モード選択部１５６０ｃ、及び再生選択部１５６０ｄを有する。区間選択部１５６０ａ、属性情報入力部１５６０ｂ、モード選択部１５６０ｃ、及び再生選択部１５６０ｄは図１に図示した区間選択部９３５ａ、属性情報入力部９３５ｂ、モード選択部９３５ｃ、及び再生選択部９３５ｄと同じ動作を行うため、詳細な説明は省略する。
【０１４７】
メインメモリ部１５７０にはデータ再生装置１５００の全般的な動作を制御及び管理するための制御プログラムが格納されている。
【０１４８】
制御部１５８０はユーザのキー入力またはキー選択によりユーザインタフェース部１５６０から発生する信号及びメインメモリ部１５７０に格納された制御プログラムに応じてデータ再生装置１５００の全般的な動作を制御する。
【０１４９】
例えば、チューナ１５１０を介して受信中のプログラムに対して保存命令がキー操作部１５６０から印加されれば、制御部１５８０は受信中のプログラムのＡＶ信号を録画再生部１５５０に提供するようスイッチング部１５２０を制御する。また、制御部１５８０は提供されたＡＶ信号を圧縮してＨＤＤ１５５６に保存するようコーデック１５５４を制御する。
【０１５０】
本発明において、制御部１５８０は区間選択部１５６０ａが選択されれば、信号処理部１５３０を介して再生されるオーディオ信号の中で所定区間のオーディオ信号を選択してＨＤＤ１５５６に保存されるよう処理する。これに関する説明は図１７に基づいてより詳しく説明する。
【０１５１】
図１７は図１５の区間選択部により選択された所定区間のオーディオ信号をＨＤに保存する方法を説明するためのフローチャートである。
【０１５２】
図１５〜１７に示すように、スイッチング部１５２０によりスイッチングされたＡＶ信号は信号処理部１５３０により再生されている（Ｓ１７００）。すなわち、スイッチングされたＡＶ信号は表示部１５４０及びスピーカ１５４５を介して出力されている。ここで、再生中の信号はチューナ１５１０、入力端子１５１５またはＨＤＤ１５５６のうちいずれかから提供される信号である。ＡＶ信号の再生中ユーザにより区間選択部１５６０ａが選択されれば、制御部１５８０は区間スタート信号を受信する（Ｓ１７１０）。
【０１５３】
区間スタート信号が受信されれば、制御部１５８０は区間スタート信号が受信された時点にオーディオデコーダー２３２から出力されるオーディオ信号がＨＤＤ１５５６に保存されるよう処理する（Ｓ１７２０）。ここで、制御部１５８０は区間スタート信号が受信された時点にオーディオバッファ２３４に臨時保存されたオーディオ信号もＨＤＤ１５５６に保存されるよう処理する。これは、ユーザが保存を所望していると判断してから区間選択部１５６０ａを選択するまでの間に、保存されず流失され得るオーディオ信号も共に保存するためである。
【０１５４】
再び、区間選択部１５６０ａから区間エンド信号が受信されれば、制御部１５８０はオーディオ信号の保存を終了させる（Ｓ１７３０、Ｓ１７４０）。以下、区間スタート信号が受信される時点から区間エンド信号が受信される時点までＨＤＤ１５５６に保存されたオーディオ信号、すなわち、区間選択部１５６０ａにより選択された所定区間のオーディオ信号を「オーディオ個体」と言う。
【０１５５】
Ｓ１７４０段階が行われると、制御部１５８０は属性情報入力窓４００を生成した後、生成された属性情報入力窓４００が表示部１５４５に表示されるようＯＳＤ処理部２２４ａを制御する（Ｓ１７５０）。属性情報入力窓４００が表示部１５４５に表示された後、ユーザの属性情報入力部１５６０ｂの操作によりオーディオ個体の属性情報が入力されれば（Ｓ１７６０）、制御部１５８０は入力された属性情報を保存するようＨＤＤ１５５６を制御する（Ｓ１７７５）。ここで、オーディオ個体の属性情報はオーディオ個体別及び再生中のＡＶ信号のタイトル別に保存される。
【０１５６】
一方、Ｓ１７６０段階において、所定時間以後にも属性情報が入力されなければ、制御部１５８０は現在日付け、現在時間などを確認してＨＤＤ１５５６に保存させる（Ｓ１７８０）。
【０１５７】
本発明の第４実施形態によれば、受信中のＡＶ信号の中で保存を所望する所定のオーディオ個体をＨＤＤ１５５６に保存する。また、ユーザによりモード選択部１５６０ｃが選択されれば、タイトルリスト画面５００及びプレーリスト画面１０００が順次表示される。プレーリスト画面１０００が表示された後、ユーザの再生選択部１５６０ｄの操作により聴取を所望する所定のオーディオ個体が選択されれば、制御部１５８０は選択されたオーディオ個体をＨＤＤ１５５６から読み出して再生するよう処理する。すなわち、外部ソース源からＡＶ信号を提供されなくてもユーザは所望のオーディオを聴取できる。
【０１５８】
図１８は本発明に係る光再生装置が適用されるディスプレーシステムの一例を示す図である。
【０１５９】
同図に示すように、光再生装置１００はディスプレー装置であるテレビ１０と伝送ケーブル３０により接続されている。本発明に係る光記録／再生装置１００は外部入力装置の遠隔制御器２０から受信された信号を処理し、表示情報をテレビ１０に転送する。
【０１６０】
詳しく説明すれば、光再生装置１００は光記録媒体、またはハードディスクドライブ（ＨＤＤ）に記録されたデータを再生可能な信号に処理した後、伝送ケーブル３０を通してテレビ１０に転送する。また、光再生装置１００は映像ソース源から提供される映像信号を受信して記録可能な信号に処理した後、光記録媒体またはＨＤＤに記録する。すなわち、実際映像、属性情報入力窓４００、タイトルリスト画面５００、プレーリスト画面６００はテレビ１０に表示される。
【０１６１】
また、外部入力装置は赤外線を送出する遠隔制御器２０のみならず、有線方式のキーボードのような他の入力装置も適用可能である。また、映像ソース源はケーブル放送、衛星放送、インターネット、カムコーダー、セットボックスなど多様である。
【０１６２】
以上、説明したように、本発明に係る背景音楽再生機能を有する光記録／再生装置及びその背景音楽再生方法によれば、動画データが記録された光記録媒体を購入した後、同一光記録媒体から動画データのＯＳＴのみを抽出して聴取できる。すなわち、光記録媒体からユーザが所望する背景音楽または対話部分のオーディオ成分のみを再生することで、別のＯＳＴ記録媒体を購入せずにＯＳＴが聴取できるユーザのニーズに合わせたサービスを提供することができる。
【０１６３】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【産業上の利用可能性】
【０１６４】
本発明は、ユーザが映画ＣＤまたはＤＶＤの再生中に背景音楽が出力される区間を選択し保存すれば、その後、保存した情報に基づいて背景音楽のみを選択的に再生／聴取可能な機能を提供する光再生装置及びその方法に適用可能である。
【図面の簡単な説明】
【０１６５】
【図１】本発明の好適な第１実施形態による光再生装置を概略的に示すブロック図である。
【図２】図１に図示した再生処理部をより詳しく示すブロック図である。
【図３Ａ】ビデオパック及びオーディオパックの構造を概略的に示す図である。
【図３Ｂ】ビデオパック及びオーディオパックの構造を概略的に示す図である。
【図３Ｃ】ビデオパック及びオーディオパックの構造を概略的に示す図である。
【図４】図２のＯＳＤ処理部により表示される属性情報入力窓の一例を示す図である。
【図５】図１により表示されるタイトルリストの一例を示す図である。
【図６】図１により表示されるプレーリストの一例を示す図である。
【図７】図１の区間選択部により選択されたオーディオ個体のアドレス情報を保存する方法を概略的に説明するためのフローチャートである。
【図８】図７で保存されたオーディオ個体の属性情報を利用してオーディオ個体を再生する方法を概略的に説明するためのフローチャートである。
【図９】本発明の好適な第２実施形態による光再生装置を概略的に示すブロック図である。
【図１０】図９により表示されるプレーリストの一例を示す図である。
【図１１】図３の区間選択部により選択されたオーディオ個体を保存する方法を概略的に説明するためのフローチャートである。
【図１２】本発明の好適な第３実施形態による光記録再生装置を概略的に示すブロック図である。
【図１３】図１２に図示した記録処理部をより詳しく示すブロック図である。
【図１４】図１２のサブメモリ部に保存されたオーディオ個体及び／またはオーディオ個体の属性情報を第２光記録媒体に記録する方法を説明するためのフローチャートである。
【図１５】本発明の好適な第４実施形態によるデータ再生装置を概略的に示すブロック図である。
【図１６】図１５に設けられた信号処理部１５３０をより詳しく示すブロック図である。
【図１７】図１７の区間選択部により選択された所定区間のオーディオ信号をＨＤに保存する方法を説明するためのフローチャートである。
【図１８】本発明に係る光記録／再生装置が適用されるディスプレーのシステムの一例を示す図である。
【図１】
2007520835.tif 000003
【図２】
2007520835.tif 000004
2007520835.tif 000005
2007520835.tif 000006
【図４】
2007520835.tif 000007
【図５】
2007520835.tif 000008
【図６】
2007520835.tif 000009
【図７】
2007520835.tif 000010
【図８】
2007520835.tif 000011
【図９】
2007520835.tif 000012
【図１０】
2007520835.tif 000013
【図１１】
2007520835.tif 000014
【図１２】
2007520835.tif 000015
【図１３】
2007520835.tif 000016
【図１４】
2007520835.tif 000017
【図１５】
2007520835.tif 000018
【図１６】
2007520835.tif 000019
【図１７】
2007520835.tif 000020
【図１８】
2007520835.tif 000021
【国際調査報告】
2007520835.tif 000022
2007520835.tif 000023